(57)【要約】【課題】より高精度な勾配推定を可能とする勾配推定装置を提供すること。【解決手段】車輌Ａに搭載可能な勾配推定装置１０であって、前記車輌Ａの前後方向の加速度を取得する第１の入力部１０ａと、前記車輌Ａの回転角速度を取得する第２の入力部１０ａと、前記車輌Ａの前後方向の加速度と前記車輌Ａの回転角速度とに基づいて、前記車輌Ａが走行する走行路の状態が傾斜路及びカーブ路と判定される状態が、所定の期間継続して検出される場合、前記車輌Ａの自動変速機３のシフトアップを抑制するシフトアップ抑制信号を生成する山岳路判定部１０ｃと、を備える。【選択図】図１
2018138812.tif 000002
【特許請求の範囲】
【請求項１】
車輌に搭載可能な制御装置であって、
前記車輌の前後方向の加速度を取得する第１の入力部と、
前記車輌の回転角速度を取得する第２の入力部と、
前記車輌の前後方向の加速度と前記車輌の回転角速度とに基づいて、前記車輌が走行する走行路の状態が傾斜路及びカーブ路と判定される状態が、所定の期間継続して検出される場合、前記車輌の自動変速機のシフトアップを抑制するシフトアップ抑制信号を生成する山岳路判定部と、
を備える、制御装置。
【請求項２】
前記山岳路判定部は、前記車輌の前後方向の加速度が所定値以上である場合、前記走行路の状態が傾斜路と判定し、前記車輌の回転角速度が所定値以上である場合、前記走行路の状態がカーブ路と判定する、
請求項１に記載の制御装置。
【請求項３】
前記山岳路判定部は、前記シフトアップ抑制信号を生成した際、
前記車輌の前後方向の加速度と前記車輌の回転角速度とに基づいて、前記車輌が走行する走行路の状態が傾斜路又はカーブ路のいずれでもないと判定される状態が、所定の期間継続して検出される場合、前記車輌の自動変速機のシフトアップを抑制する状態を解除する解除信号を生成する、
請求項１又は２に記載の制御装置。
【請求項４】
前記車輌の前後方向の加速度を検出する加速度センサの検出値と、前記車輌の回転角速度とに基づいて、前記加速度センサで検出される検出成分から遠心力成分を減ずるようにして、前記走行路の勾配を算出する勾配算出部、を更に備える、
請求項１乃至３のいずれか一項に記載の制御装置。
【請求項５】
前記車輌の回転角速度は、前記車輌の左右の車輪の回転速差、又は前記車輌の操舵角に基づいて算出される、
請求項１乃至４のいずれか一項に記載の制御装置。
【請求項６】
請求項１乃至５のいずれか一項に記載の制御装置を備える車輌。
【発明の詳細な説明】
【技術分野】
【０００１】
本開示は、車輌の制御装置、及び車輌に関する。
【背景技術】
【０００２】
走行路の状態に応じた駆動力を駆動輪に対して作用させるため、走行路の状態に応じて、自動変速機の変速比の切り替え制御を行う要請がある（例えば、特許文献１を参照）。
【先行技術文献】
【特許文献】
【０００３】
【特許文献１】特開２０１３−１４２４３６号公報
【発明の概要】
【発明が解決しようとする課題】
【０００４】
かかる車輌においては、一般に、走行路の勾配に基づいて、自動変速機の変速比の切り替え制御が行われる。
【０００５】
しかしながら、車輌が走行する走行路の状態は、必ずしも、一地点の勾配のみでは特定することができない。特に、山岳路においては、勾配の起伏が激しく、コーナーも多い。このような山岳路において、自動変速機の変速比の切り替えを一地点の勾配に応じて逐次実行した場合には、自動変速機においてシフトビジー（変速が頻発）状態が生じる。
【０００６】
本開示は、上記問題点に鑑みてなされたもので、走行路の状態に応じて、より適切に自動変速機の変速比の切り替え制御を可能とする車輌の制御装置、及び車輌を提供することを目的とする。
【課題を解決するための手段】
【０００７】
前述した課題を解決する主たる本開示は、車輌に搭載可能な制御装置であって、前記車輌の前後方向の加速度を取得する第１の入力部と、前記車輌の回転角速度を取得する第２の入力部と、前記車輌の前後方向の加速度と前記車輌の回転角速度とに基づいて、前記車輌が走行する走行路の状態が傾斜路及びカーブ路と判定される状態が、所定の期間継続して検出される場合、前記車輌の自動変速機のシフトアップを抑制するシフトアップ抑制信号を生成する山岳路判定部と、を備える、制御装置である。
【発明の効果】
【０００８】
本開示に係る車輌の制御装置によれば、走行路の状態に応じて、より適切に自動変速機の変速比の切り替え制御を行うことができる。
【図面の簡単な説明】
【０００９】
【図１】実施形態に係る車輌の構成の一例を示す図
【図２】実施形態に係るＥＣＵの動作の一例を示すフローチャート
【図３】車輌が走行している際に加速度センサに作用する力について説明する図
【発明を実施するための形態】
【００１０】
以下、図面を参照して、本発明の一実施形態に係る車輌、及び当該車輌に搭載される制御装置の構成の一例について説明する。
【００１１】
図１は、本実施形態に係る車輌Ａの構成の一例を示す図である。
【００１２】
本実施形態に係る車輌Ａは、例えば、エンジン１、クラッチ２、自動変速機３、プロペラシャフト４、デファレンシャルギヤ５、ドライブシャフト６、前輪７Ｆ、後輪７Ｒ、各種センサ８、及びＥＣＵ（Electronic Control Unit）１０を含んで構成される。尚、ＥＣＵ１０が、「制御装置」に相当する。
【００１３】
エンジン１は、車輌Ａの駆動源であり、クラッチ２を介して回転動力（エンジン回転数とトルクのいずれも含む。以下同じ）を自動変速機３に伝達する。尚、駆動源は、エンジン１に限らず、モータであってもよいし、又、エンジンとモータを組み合わせたものでもよい。
【００１４】
自動変速機３は、エンジン１の回転数及びトルクを変換して、エンジン１の回転動力をプロペラシャフト４に伝達する。そして、当該回転動力は、プロペラシャフト４から、デファレンシャルギヤ５、ドライブシャフト６を介して、後輪７Ｒ（以下、「駆動輪」とも称する）に伝達される。
【００１５】
自動変速機３は、例えば、有段式の自動変速機（ＡＴ）、ベルト式やトロイダル式の無段変速機（ＣＶＴ）、デュアルクラッチ式の自動変速機（ＤＣＴ）、変速段を手動選択可能な自動変速機（ＡＭＴ）等によって構成される。尚、自動変速機３の変速動作やクラッチ２の断接は、ＥＣＵ１０から入力される制御信号によって制御される。
【００１６】
尚、上記した車輌Ａの駆動系の構成は、一例であって、任意の構成であってよい。例えば、駆動輪は、前輪７Ｆとしてもよいし、前輪７Ｆと後輪７Ｒの両方としてもよい。
【００１７】
各種センサ８は、車輌Ａの各部の状態等を検出するために設けられている。本実施形態に係る車輌Ａは、例えば、加速度センサ８ａ、角速度センサ８ｂ、車速センサ８ｃ、エンジン回転センサ８ｄ等を備えている。これら各種センサ８で検出される検出値は、ＥＣＵ１０に送信される。
【００１８】
加速度センサ８ａは、ひずみゲージ、圧電素子及び静電容量等の変位量から、車輌Ａの前後方向の加速度を検出する。尚、本実施形態に係る加速度センサ８ａは、車輌Ａの前後方向一軸のみの加速度を検出するセンサである。
【００１９】
角速度センサ８ｂは、車輌Ａの回転中心を通る鉛直軸まわりの回転角速度を検出する。角速度センサ８ｂは、当該車輌Ａの回転角速度を検出できれば、その検出方法は、任意である。角速度センサ８ｂは、例えば、車輌Ａの左右の車輪（例えば、前輪７Ｆ）の回転速度差や車輌Ａの操舵角（例えば、前輪７Ｆの切れ角）から間接的に車輌Ａの回転角速度を検出してもよい。
【００２０】
尚、車輌Ａの左右の車輪の回転速度差は、車輌Ａの左右の車輪の回転量の位相差を検出したり、車輌Ａの左右の車輪それぞれの回転速度を検出し、その差分値を算出したりすることで、求めることができる。車輌Ａの左右の車輪の回転速度差を検出するためのセンサは、車輌Ａの状態を監視するために既設されているため、これらのセンサを用いるのが望ましい。
【００２１】
車速センサ８ｃは、車輌Ａの車輪（ここでは、後輪７Ｒ）の回転数から、車輌Ａの走行速度を検出する。エンジン回転センサ８ｄは、エンジン１のクランクシャフトの回転数を検出する。これらのセンサは、いずれも公知のセンサで実現することができる。
【００２２】
尚、その他、エンジン１が出力するトルクを検出するエンジントルクセンサや、シフトレバーの操作位置を検出するシフトレバーポジションセンサ等が設けられてもよい。
【００２３】
ＥＣＵ１０は、車輌Ａが走行する走行路の勾配を推定したり、自動変速機３の変速動作を制御したりする。ＥＣＵ１０は、例えば、ＣＰＵ（Central Processing Unit）やＲＯＭ（Read Only Memory）、ＲＡＭ（Random Access Memory）、入力ポート、出力ポート等を含んで構成されている。尚、図１中の点線は、ＥＣＵ１０が送信する制御信号やＥＣＵ１０が受信する検出信号の信号経路を表している。
【００２４】
ＥＣＵ１０は、入力部１０ａ、勾配算出部１０ｂ、山岳路判定部１０ｃ、制御部１０ｄを備えている。
【００２５】
入力部１０ａは、加速度センサ８ａ、角速度センサ８ｂ、車速センサ８ｃ等、各種センサ８の検出値を取得する。尚、加速度センサ８ａの検出値を取得する入力部１０ａ、角速度センサ８ｂの検出値を取得する入力部１０ａが、それぞれ、「第１の入力部」、「第２の入力部」に相当する。
【００２６】
尚、入力部１０ａは、これらの検出信号を各センサから直接取得する構成であってもよいし、他の装置を介して取得する構成であってもよい。又、入力部１０ａは、角速度センサ８ｂや車速センサ８ｃから取得した検出信号に所定の演算処理を施して、車輌Ａの回転角速度や車速を検出してもよい。
【００２７】
勾配算出部１０ｂは、加速度センサ８ａの検出値等に基づいて、車輌Ａが走行する走行路の勾配を算出する。尚、勾配算出部１０ｂは、角速度センサ８ｂや車速センサ８ｃの検出値を用いて、加速度センサ８ａで検出される重力成分を抽出することで、車輌Ａが走行する走行路の勾配を算出する。
【００２８】
山岳路判定部１０ｃは、加速度センサ８ａの検出値、角速度センサ８ｂの検出値等に基づいて、車輌Ａが走行する走行路が山岳路か否かを判定する。具体的には、山岳路判定部１０ｃは、加速度センサ８ａの検出値、角速度センサ８ｂの検出値等に基づいて、車輌Ａが走行する走行路の状態が傾斜路及びカーブ路と判定される状態が、所定の期間継続して検出される場合、山岳路と判定し、車輌Ａの自動変速機３のシフトアップを抑制するシフトアップ抑制信号を生成する。
【００２９】
制御部１０ｄは、勾配算出部１０ｂが算出した勾配等に基づいて、車輌Ａの走行抵抗を推定し、自動変速機３の変速比を制御する。制御部１０ｄは、山岳路判定部１０ｃがシフトアップ抑制信号を生成している場合、走行路の勾配の変化に応じたシフトアップが抑制されるように自動変速機３の変速比を制御する。尚、自動変速機３の変速比の制御は、公知の制御方法であるため、ここでの説明は省略する。
【００３０】
尚、上記した各機能は、例えば、ＣＰＵがＲＯＭ、ＲＡＭ等に記憶された制御プログラムや各種データを参照することによって実現される。但し、当該機能は、ソフトウェアによる処理に限られず、専用のハードウェア回路によっても実現できることは勿論である。
【００３１】
［制御装置の動作］
次に、図２〜図３を参照して、ＥＣＵ１０の動作の一例について説明する。
【００３２】
図２は、ＥＣＵ１０の動作の一例を示すフローチャートである。尚、図２に示すフローチャートは、例えば、ＥＣＵ１０が、コンピュータプログラムに従って所定間隔（例えば、１秒間隔）で実行するものである。
【００３３】
本実施形態に係るＥＣＵ１０は、ステップＳ３において走行路の勾配を推定するととともに、ステップＳ４〜Ｓ７において車輌Ａが山岳路を走行中であるか否かを判定する。そして、ＥＣＵ１０は、車輌Ａが山岳路を走行中であると判定される場合、自動変速機３のシフトアップを抑制する山岳路モードを設定する。
【００３４】
ＥＣＵ１０（入力部１０ａ）は、まず、加速度センサ８ａの検出値を取得する（ステップＳ１）。次に、ＥＣＵ１０（入力部１０ａ）は、角速度センサ８ｂの検出値を取得する（ステップＳ２）。そして、ＥＣＵ１０（勾配算出部１０ｂ）は、加速度センサ８ａの検出値及び角速度センサ８ｂの検出値に基づいて、加速度センサ８ａで検出される重力成分を抽出することで、車輌Ａが走行する走行路の勾配を算出する（ステップＳ３）。
【００３５】
図３は、車輌Ａが走行している際に加速度センサ８ａに作用する力について説明する図である。
【００３６】
加速度センサ８ａは、車輌Ａの前後方向の加速度を検出する。従って、車輌Ａが一定速度で直進している場合、加速度センサ８ａには、走行路の勾配θに応じた重力成分ｇ×ｓｉｎθのみが作用する。これより、加速度センサ８ａの検出値ａから走行路の勾配θを求めることできる。
【００３７】
しかし、コーナー走行時のように車輌Ａが旋回運動している場合、加速度センサ８ａには、重力成分ｇ×ｓｉｎθに加えて、車輌Ａに作用する遠心力が重畳した合力が作用した状態となる。そのため、加速度センサ８ａの検出値ａは、重力成分ｇ×ｓｉｎθに加えて、遠心力による成分ｂが重畳した値となる。
【００３８】
そこで、本実施形態に係るＥＣＵ１０は、角速度センサ８ｂの検出値を用いて加速度センサ８ａに作用する遠心力を検出する。ＥＣＵ１０は、例えば、慣性の法則に従って、角速度センサ８ｂの検出値と、車輌Ａの回転中心（例えば、デファレンシャルギヤ５の位置）から加速度センサ８ａまでの距離に基づいて、加速度センサ８ａに作用する遠心力を求めることができる。又、ＥＣＵ１０は、車輌Ａが加減速している場合には、車速センサ８ｃの検出値を用いて車速の時間的変化（微分値）から車輌Ａの加減速の成分ｃを考慮する。
【００３９】
ステップＳ３において、ＥＣＵ１０は、例えば、以下の式（１）に基づいて、加速度センサ８ａで検出される重力成分を抽出し、勾配θの値を算出することができる。
ａ＝ｂ１＋ｇ×ｓｉｎθ＋ｃ  …式（１）
（但し、ａ：加速度センサ８ａで検出される加速度、ｂ１：角速度センサ８ｂの検出値から求まる遠心力、ｃ：車速センサ８ｃで検出される車輌Ａの加速度、ｇ：重力加速度、θ：走行路の勾配、を表す）
【００４０】
但し、加速度センサ８ａは、前後方向に指向性を有している。そのため、式（１）において、角速度センサ８ｂの検出値から求まる遠心力ｂ１は、角速度センサ８ｂの検出値と加速度センサ８ａの指向特性に応じた値となる。
【００４１】
このように、本実施形態に係るＥＣＵ１０は、走行路の勾配を高精度に検出することで、自動変速機３の変速比の制御を安定させる。
【００４２】
次に、ＥＣＵ１０は、加速度センサ８ａの検出値と角速度センサ８ｂの検出値とに基づいて、車輌Ａが走行する走行路の状態を示す山岳路であるか否かを判定する（ステップＳ４〜Ｓ７）。
【００４３】
山岳路においては、車輌Ａは、一般に、勾配が大きい領域とコーナー領域とが繰り返すように走行する。そのため、勾配が大きい領域又はコーナー領域が検出され、その状態が継続して検出される場合、山岳路と判定することができる。
【００４４】
従って、ＥＣＵ１０は、勾配が大きい領域が継続している継続期間を変数として有し、当該継続期間に基づいて山岳路か否かを判定する。但し、ＥＣＵ１０は、勾配が大きい通常路（例えば、通常の坂道）又はコーナー領域を有する通常路（例えば、通常の交差点）と明確に識別するため、通常路と区別し得る長さの継続期間（例えば、１００ｍほど）を山岳路と判定する際の閾値として設定する。そして、ＥＣＵ１０は、当該継続期間のリセット条件を勾配及びコーナー領域のいずれでもない場合のみとする。
【００４５】
具体的には、ＥＣＵ１０は、以下のフローを行う。
【００４６】
ステップＳ４において、ＥＣＵ１０は、勾配が第１閾値以上であるか否かを判定する。このとき、ＥＣＵ１０は、勾配が第１閾値以上の条件を満たすと判定した場合（ステップＳ４：ＹＥＳ）、その状態の継続期間（時間又は距離）が、所定期間以上であるか否かを判定する（ステップＳ５）。つまり、ＥＣＵ１０は、傾斜路の継続状態が、一定距離（例えば、１００ｍほど）以上であるか又は一定時間継続しているかを判定する。
【００４７】
ステップＳ５において、ＥＣＵ１０は、勾配が第１閾値以上の状態の継続期間（時間又は距離）が所定期間未満であると判定した場合（ステップＳ５：ＮＯ）、ＥＣＵ１０は、当該継続期間の更新のみを行って、山岳路モードを設定することなく、本フローを終了する。
【００４８】
一方、ステップＳ４において、ＥＣＵ１０は、勾配が第１閾値未満であると判定した場合（ステップＳ４：ＮＯ）、継続期間に係る変数のリセットを行うか否かを判定するべく、勾配が第２閾値（第１閾値よりも小さい閾値）以上であり、且つ、回転角速度が第３閾値以上であるかを判定する（ステップＳ６）。つまり、かかる場合には、通常路であると識別できるため、ＥＣＵ１０は、ステップＳ６においては、この状態を判定する。換言すると、勾配θが第２閾値未満であるか、又は、回転角速度が第３閾値未満であることが、継続期間のリセット条件となっている。
【００４９】
ステップＳ６において、勾配が第２閾値以上であり、且つ、回転角速度が第３の閾値以上である場合（ステップＳ６：ＹＥＳ）、継続期間に係る変数を更新もリセットもせず、保留した状態で本フローを終了する。一方、勾配が第２閾値未満であるか又は回転角速度が第３の閾値未満である場合（ステップＳ６：ＮＯ）、ＥＣＵ１０は、継続期間に係る変数にリセットして（ステップＳ７）、本フローを終了する。
【００５０】
他方、ステップＳ５において、勾配が第１閾値以上の継続期間（時間又は距離）が、所定期間以上であると判定した場合（ステップＳ５：ＹＥＳ）、ＥＣＵ１０は、シフトアップ抑制信号を生成して山岳路モードを設定する（ステップＳ８）。これによって、例えば、山岳路モードにおいて、自動変速機３の制御が実行されることになる。
【００５１】
山岳路モードの場合、ＥＣＵ１０は、例えば、自動変速機３の変速比を制御する際、勾配による車輌Ａの走行抵抗（例えば、急坂車線における重量抵抗）を一定値に設定する。又、例えば、勾配値を所定勾配（例えば、規定勾配３）未満にならないようにサチュレーションさせる。これによって、山岳路において走行抵抗が急変動を繰り返すことに伴って自動変速機３が変速比を切り替え制御するような事態（シフトビジー状態）を防止することができる。換言すると、ＥＣＵ１０は、山岳路の踊り場等のたびに自動変速機３がシフトアップすることを抑制し、自動変速機３の変速比を小さくした状態（トルクが大きい状態）で車輌Ａを走行させる。
【００５２】
他方、ＥＣＵ１０は、山岳路モードを設定した場合、例えば、同様の処理により、勾配θが所定値未満の状態の継続期間（時間又は距離）を検出する（図示せず）。そして、ＥＣＵ１０は、勾配θが所定値未満の状態の継続期間（時間又は距離）が所定期間を超えた場合、山岳路モードを解除する解除信号を生成し、通常路モードに戻して、処理を再開する。尚、山岳路モードを解除するか否かを定める勾配θの基準値は、例えば、走行路が傾斜路ではないと判定できる値である。
【００５３】
以上のように、本実施形態に係るＥＣＵ１０によれば、車輌Ａに既設のセンサ（加速度センサ８ａ、角速度センサ８ｂ等）を用いて、山岳路を的確に判定することができる。これによって、山岳路を走行している際に、自動変速機３がシフトビジー状態となることを防止することができる。
【００５４】
又、本実施形態に係るＥＣＵ１０は、走行路の勾配を高精度に検出することができるため、より適切に自動変速機３の変速比の切り替え制御を実行することが可能となる。
【００５５】
（その他の実施形態）
本発明は、上記実施形態に限らず、種々に変形態様が考えられる。
【００５６】
上記実施形態では、ＥＣＵ１０の一例として、入力部１０ａ、勾配算出部１０ｂ、山岳路判定部１０ｃ、及び制御部１０ｄの機能が一つのコンピュータによって実現されるものとして記載したが、複数のコンピュータによって実現されてもよいのは勿論である。例えば、山岳路判定部１０ｃと制御部１０ｄは、別個のコンピュータによって実現されてもよい。他方、エンジン１を制御するＥＣＵ等の一部として組み込まれる態様としてもよいのは勿論である。
【００５７】
又、上記実施形態では、ＥＣＵ１０の一例として、入力部１０ａ、勾配算出部１０ｂ、山岳路判定部１０ｃ及び制御部１０ｄの処理を一連のフローの中で実行されるものとして示したが、これらの処理の一部が並列で実行されるものとしてもよい。
【００５８】
以上、本発明の具体例を詳細に説明したが、これらは例示にすぎず、請求の範囲を限定するものではない。請求の範囲に記載の技術には、以上に例示した具体例を様々に変形、変更したものが含まれる。
【産業上の利用可能性】
【００５９】
本開示は、自動変速機を制御する制御装置に好適に用いることができる。
【符号の説明】
【００６０】
１  エンジン
２  クラッチ
３  自動変速機
４  プロペラシャフト
５  デファレンシャルギヤ
６  ドライブシャフト
７Ｆ  前輪
７Ｒ  後輪
８  各種センサ
１０  ＥＣＵ
【図１】
2018138812.tif 000003
【図２】
2018138812.tif 000004
【図３】
2018138812.tif 000005